【手続補正書】
【提出日】平成31年4月18日(2019.4.18)
【手続補正１】
【補正対象書類名】明細書
【補正対象項目名】０００６
【補正方法】変更
【補正の内容】
【０００６】
本発明の一態様に係る印刷装置は、少なくとも一方の面同士のそれぞれの領域に含まれる色が互いに異なる、又は、少なくとも一方の面同士のそれぞれの領域における色の明るさが互いに異なる被印刷媒体及び被印刷媒体以外の部材を有する搬送対象物の前記被印刷媒体に印刷を行う印刷ヘッドと、検出位置において前記搬送対象物の色又は色の明るさを検出する検出装置と、制御装置と、を備え、前記制御装置は、前記搬送対象物の搬送後に前記検出装置によって検出された第１の検出結果としての前記色又は色の明るさが、搬送対象物の搬送前に前記検出装置によって検出された第２の検出結果としての前記色又は色の明るさと比較して変化がある場合、搬送後の前記搬送対象物の前記色又は色の明るさの値を示す保持値を更新し、変化がない場合、前記保持値を更新せず、その後、印刷指示に応じて、新たな搬送前に前記検出装置によって検出された新たな第２の検出結果に基づき、搬送前の搬送対象物の色又は色の明るさを検出した検出値が、前記第１の検出結果にしたがって更新された前記保持値或いは更新されなかった前回の保持値と比較して変化があるかどうか判断し、変化がないと判断すれば、前記被印刷媒体の残量がないとみなして印刷を中止する。
【手続補正２】
【補正対象書類名】明細書
【補正対象項目名】０００７
【補正方法】変更
【補正の内容】
【０００７】
本発明の一態様に係る印刷装置の印刷制御方法は、印刷装置の印刷制御方法であって、前記印刷装置は、少なくとも一方の面同士のそれぞれの領域に含まれる色が互いに異なる、又は、少なくとも一方の面同士のそれぞれの領域における色の明るさが互いに異なる被印刷媒体及び被印刷媒体以外の部材を有する搬送対象物の搬送後に検出された第１の検出結果としての前記色又は色の明るさが、搬送対象物の搬送前に前記検出装置によって検出された第２の検出結果としての前記色又は色の明るさと比較して変化がある場合、搬送後の前記搬送対象物の前記色又は色の明るさの値を示す保持値を更新し、変化がない場合、前記保持値を更新せず、その後、印刷指示に応じて、新たな搬送前に検出された新たな第２の検出結果に基づき、搬送前の搬送対象物の色又は色の明るさを検出した検出値が、前記第１の検出結果にしたがって更新された前記保持値或いは更新されなかった前回の保持値と比較して変化があるかどうか判断し、変化がないと判断すれば、前記被印刷媒体の残量がないとみなして印刷を中止する。
【手続補正３】
【補正対象書類名】明細書
【補正対象項目名】０００８
【補正方法】変更
【補正の内容】
【０００８】
本発明の一態様に係るプログラムは、印刷装置のコンピュータに実行させるプログラムであって、前記印刷装置は、少なくとも一方の面同士のそれぞれの領域に含まれる色が互いに異なる、又は、少なくとも一方の面同士のそれぞれの領域における色の明るさが互いに異なる被印刷媒体及び被印刷媒体以外の部材を有する搬送対象物の搬送後に検出された第１の検出結果としての前記色又は色の明るさが、搬送対象物の搬送前に前記検出装置によって検出された第２の検出結果としての前記色又は色の明るさと比較して変化がある場合、搬送後の前記搬送対象物の前記色又は色の明るさの値を示す保持値を更新し、変化がない場合、前記保持値を更新せず、その後、印刷指示に応じて、新たな搬送前に検出された新たな第２の検出結果に基づき、搬送前の搬送対象物の色又は色の明るさを検出した検出値が、前記第１の検出結果にしたがって更新された前記保持値或いは更新されなかった前回の保持値と比較して変化があるかどうか判断し、変化がないと判断すれば、前記被印刷媒体の残量がないとみなして印刷を中止する。
【手続補正４】
【補正対象書類名】特許請求の範囲
【補正対象項目名】全文
【補正方法】変更
【補正の内容】
【特許請求の範囲】
【請求項１】
少なくとも一方の面同士のそれぞれの領域に含まれる色が互いに異なる、又は、少なくとも一方の面同士のそれぞれの領域における色の明るさが互いに異なる被印刷媒体及び被印刷媒体以外の部材を有する搬送対象物の前記被印刷媒体に印刷を行う印刷ヘッドと、
検出位置において前記搬送対象物の色又は色の明るさを検出する検出装置と、
制御装置と、
を備え、
前記制御装置は、
前記搬送対象物の搬送後に前記検出装置によって検出された第１の検出結果としての前記色又は色の明るさが、搬送対象物の搬送前に前記検出装置によって検出された第２の検出結果としての前記色又は色の明るさと比較して変化がある場合、搬送後の前記搬送対象物の前記色又は色の明るさの値を示す保持値を更新し、変化がない場合、前記保持値を更新せず、
その後、印刷指示に応じて、新たな搬送前に前記検出装置によって検出された新たな第２の検出結果に基づき、搬送前の搬送対象物の色又は色の明るさを検出した検出値が、前記第１の検出結果にしたがって更新された前記保持値或いは更新されなかった前回の保持値と比較して変化があるかどうか判断し、変化がないと判断すれば、前記被印刷媒体の残量がないとみなして印刷を中止する、
ことを特徴とする印刷装置。
【請求項２】
前記制御装置は、前記印刷指示に応じて、新たな搬送前に前記搬送対象物の色又は色の明るさを検出した第２の検出値が、更新された前記保持値或いは更新されなかった前回の保持値と比較して変化があると判断すれば、前記被印刷媒体の残量があるとみなして印刷を実行する、
ことを特徴とする請求項１に記載の印刷装置。
【請求項３】
前記第１の検出結果或いは前記第２の検出結果に基づいて、前記検出位置において前記搬送対象物が、前記被印刷媒体以外の部材と前記被印刷媒体とが重ねられている第１状態及び前記被印刷媒体以外の部材と前記被印刷媒体とが重ねられていない第２状態のいずれとなっているかを判断する、
ことを特徴とする請求項１又は２に記載の印刷装置。
【請求項４】
前記搬送対象物を収納する収納体を交換可能に収納する収納部をさらに備え、
前記検出装置は、前記搬送対象物の前記被印刷媒体以外の部材及び前記被印刷媒体のそれぞれの前記一方の面に対向する側に配置されている、
ことを特徴とする請求項１乃至３の何れか1項に記載の印刷装置。
【請求項５】
前記検出装置は、前記第１の検出結果又は前記第２の検出結果として、前記搬送対象物の前記検出装置と対向する領域における、前記搬送対象物の色の、赤色値（Ｒ）、緑色値（Ｇ）及び青色値（Ｂ）を含むＲＧＢ値を検出し、
前記制御装置は、搬送前の前記第２の検出結果における前記赤色値、前記緑色値及び前記青色値のうちの、少なくとも一つの値に対する、搬送後の前記第１の検出結果における前記赤色値、前記緑色値及び前記青色値のうちの、対応する少なくとも一つの値の変化が所定の閾値以上であるとき、変化があると判断する、
ことを特徴とする請求項１乃至４の何れか1項に記載の印刷装置。
【請求項６】
前記検出装置は、前記第１の検出結果又は前記第２の検出結果として、前記搬送対象物の前記検出装置と対向する領域における、前記搬送対象物の色の、赤色値（Ｒ）、緑色値（Ｇ）及び青色値（Ｂ）を含むＲＧＢ値を検出し、
前記制御装置は、前記保持値における前記赤色値、前記緑色値及び前記青色値のうちの、少なくとも一つの値に対する、搬送前の前記第２の検出結果における前記赤色値、前記緑色値及び前記青色値のうちの、対応する少なくとも一つの値の変化が所定の閾値以上であるとき、変化があると判断する、
ことを特徴とする請求項５に記載の印刷装置。
【請求項７】
データを一時的に記憶する第１記憶装置と、電源ＯＦＦ時にも前記データを保持して記憶する第２記憶装置と、をさらに備え、
前記制御装置は、前記保持値を前記第１記憶装置に記憶し、
電源ＯＦＦ時には、前記第１記憶装置に記憶していた前記保持値を、前記第２記憶装置に一時的に記憶し、電源ＯＮ時には、前記第２記憶装置に一時的に記憶していた前記保持値を、前記第１記憶装置に呼び出す、
ことを特徴とする請求項１乃至６の何れか1項に記載の印刷装置。
【請求項８】
前記被印刷媒体以外の部材は、前記印刷ヘッドによる前記印刷に使用されるインクリボンを有する、
ことを特徴とする請求項１乃至７の何れか1項に記載の印刷装置。
【請求項９】
前記被印刷媒体の残量があるときは、前記被印刷媒体は、前記被印刷媒体以外の部材と重ねられている第１状態で前記検出位置に位置し、
前記被印刷媒体の残量がないときは、前記被印刷媒体以外の部材は、前記被印刷媒体と重ねられていない第２状態で前記検出位置に位置する、
ことを特徴とする請求項１乃至８の何れか1項に記載の印刷装置。
【請求項１０】
前記被印刷媒体は、印刷面を一方に有する長尺状の基材と、前記基材の前記印刷面と反対側の面に位置する剥離フィルムとを有し、
前記検出装置は、前記被印刷媒体の残量があるときは、前記剥離フィルムの前記検出装置側の色又は色の明るさを検出する、
ことを特徴とする請求項１乃至９の何れか1項に記載の印刷装置。
【請求項１１】
前記検出装置は、前記被印刷媒体の残量がないときは、前記インクリボンの前記検出装置側の色又は色の明るさを検出する、
ことを特徴とする請求項８に記載の印刷装置。
【請求項１２】
前記検出装置は、前記搬送対象物の搬送経路において、前記印刷ヘッドに対して搬送方向における上流側に配置されている、
ことを特徴とする請求項１乃至１１の何れか1項に記載の印刷装置。
【請求項１３】
少なくとも一方の面同士のそれぞれの領域に含まれる色が互いに異なる、又は、少なくとも一方の面同士のそれぞれの領域における色の明るさが互いに異なる被印刷媒体及び被印刷媒体以外の部材を有する搬送対象物の前記被印刷媒体に印刷を行う印刷ヘッドと、
検出位置において前記搬送対象物の色又は色の明るさを検出する検出装置と、
制御装置と、
フラグ領域を設定された第１記憶装置と、
を備え、
前記制御装置は、
前記搬送対象物の搬送後に前記検出装置によって検出された第１の検出結果としての前記色又は色の明るさが、搬送対象物の搬送前に前記検出装置によって検出された第２の検出結果としての前記色又は色の明るさと比較して変化がある場合、搬送後の前記搬送対象物の前記色又は色の明るさの値を示す保持値を更新するとともに前記フラグ領域内のフラグをＯＮにし、変化がない場合、前記保持値を更新せず、
その後、前記フラグ領域内のフラグがＯＮの場合、印刷指示に応じて、新たな搬送前に前記検出装置によって検出された新たな第２の検出結果に基づき、搬送対象物の色又は色の明るさを検出した検出値が、前記第１の検出結果にしたがって更新された前記保持値或いは更新されなかった前回の保持値と比較して変化があるかどうか判断する判断処理を行い、変化がないと判断すれば、前記被印刷媒体の残量がないとみなして印刷を中止する、
ことを特徴とする印刷装置。
【請求項１４】
前記フラグ領域内のフラグがＯＮではない場合、前記判断処理を行うことなく、前記被印刷媒体の残量があるとみなして印刷を実行する、
ことを特徴とする請求項１３に記載の印刷装置。
【請求項１５】
印刷装置の印刷制御方法であって、
前記印刷装置は、少なくとも一方の面同士のそれぞれの領域に含まれる色が互いに異なる、又は、少なくとも一方の面同士のそれぞれの領域における色の明るさが互いに異なる被印刷媒体及び被印刷媒体以外の部材を有する搬送対象物の搬送後に検出された第１の検出結果としての前記色又は色の明るさが、搬送対象物の搬送前に前記検出装置によって検出された第２の検出結果としての前記色又は色の明るさと比較して変化がある場合、搬送後の前記搬送対象物の前記色又は色の明るさの値を示す保持値を更新し、変化がない場合、前記保持値を更新せず、
その後、印刷指示に応じて、新たな搬送前に検出された新たな第２の検出結果に基づき、搬送前の搬送対象物の色又は色の明るさを検出した検出値が、前記第１の検出結果にしたがって更新された前記保持値或いは更新されなかった前回の保持値と比較して変化があるかどうか判断し、変化がないと判断すれば、前記被印刷媒体の残量がないとみなして印刷を中止する、
ことを特徴とする印刷装置の印刷制御方法。
【請求項１６】
印刷装置のコンピュータに実行させるプログラムであって、
前記印刷装置は、少なくとも一方の面同士のそれぞれの領域に含まれる色が互いに異なる、又は、少なくとも一方の面同士のそれぞれの領域における色の明るさが互いに異なる被印刷媒体及び被印刷媒体以外の部材を有する搬送対象物の搬送後に検出された第１の検出結果としての前記色又は色の明るさが、搬送対象物の搬送前に前記検出装置によって検出された第２の検出結果としての前記色又は色の明るさと比較して変化がある場合、搬送後の前記搬送対象物の前記色又は色の明るさの値を示す保持値を更新し、変化がない場合、前記保持値を更新せず、
その後、印刷指示に応じて、新たな搬送前に検出された新たな第２の検出結果に基づき、搬送前の搬送対象物の色又は色の明るさを検出した検出値が、前記第１の検出結果にしたがって更新された前記保持値或いは更新されなかった前回の保持値と比較して変化があるかどうか判断し、変化がないと判断すれば、前記被印刷媒体の残量がないとみなして印刷を中止する、
ことを特徴とするプログラム。